(57)【要約】【課題】皮脂洗浄力に優れ、かつ洗濯後の被洗物からの部屋干し臭の発生を抑制する効果が高い液体洗浄剤の提供。【解決手段】本発明の液体洗浄剤は下記（Ａ）〜（Ｃ）成分を含有する。（Ａ）成分：下記一般式（１）で表される化合物（ａ１）を含むアニオン界面活性剤。    Ｒ１−Ｏ−［（ＥＯ）ｐ／（ＰＯ）ｑ］−ＳＯ３−  １／ｖ・Ｍ＋    ・・・（１）(式（１）中、Ｒ１は炭素数８〜１８のアルキル基又はアルケニル基であり、ｐは０〜１０であり、ｑは０〜５であり、Ｍ＋は水素イオン以外の陽イオンであり、ｖはＭ＋の価数である。但し、ｐ及びｑが同時に０になることはなく、ｑ＝０のとき０＜ｐ≦２を満たす。)（Ｂ）成分：ノニオン界面活性剤。（Ｃ）成分：フェノール構造を有する抗菌剤（ｃ１）及び／又はポリリジン、ポリヘキサメチレンビグアニド、２−（４−チオシアノメチルチオ）ベンズイミダゾールからなる群より選ばれる少なくとも１種（ｃ２）。【選択図】なし【特許請求の範囲】
【請求項１】
下記（Ａ）成分、（Ｂ）成分及び（Ｃ）成分を含有する、液体洗浄剤。
（Ａ）成分：下記（ａ１）成分を含むアニオン界面活性剤。
（ａ１）成分：下記一般式（１）で表される化合物。
Ｒ１−Ｏ−［（ＥＯ）ｐ／（ＰＯ）ｑ］−ＳＯ３−  １／ｖ・Ｍ＋    ・・・（１）
（一般式（１）中、Ｒ１は炭素数８〜１８のアルキル基又は炭素数８〜１８のアルケニル基であり、ＥＯはオキシエチレン基を表し、ＰＯはオキシプロピレン基を表し、ｐはＥＯの平均繰り返し数を表し、０≦ｐ≦１０を満たす数であり、ｑはＰＯの平均繰り返し数を表し、０≦ｑ≦５を満たす数であり、Ｍ＋は水素イオン以外の陽イオンであり、ｖはＭ＋の価数である。ただし、ｐ及びｑが同時に０になることはなく、ｑ＝０のとき０＜ｐ≦２を満たす。）
（Ｂ）成分：ノニオン界面活性剤。
（Ｃ）成分：下記（ｃ１）成分及び（ｃ２）成分からなる群より選ばれる少なくとも１種。
（ｃ１）成分：フェノール構造を有する抗菌剤。
（ｃ２）成分：ポリリジン、ポリヘキサメチレンビグアニド、２−（４−チオシアノメチルチオ）ベンズイミダゾールからなる群より選ばれる少なくとも１種。
【請求項２】
前記（Ｃ）成分が少なくとも前記（ｃ１）成分を含む、請求項１に記載の液体洗浄剤。
【請求項３】
前記（Ｂ）成分が下記（ｂ１）成分を含む、請求項１または２に記載の液体洗浄剤。
（ｂ１）成分：下記一般式（２）で表される化合物。
Ｒ２−Ｏ−［（ＥＯ）ｓ／（ＰＯ）ｔ］−Ｈ    ・・・（２）
（一般式（２）中、Ｒ２は炭素数８〜２２の炭化水素基であり、ＥＯはオキシエチレン基を表し、ＰＯはオキシプロピレン基を表し、ｓはＥＯの平均繰り返し数を表し、２≦ｓ≦２０を満たす数であり、ｔはＰＯの平均繰り返し数を表し、０≦ｔ≦６を満たす数である。）
【請求項４】
下記（Ｄ）成分をさらに含有する、請求項１〜３のいずれか一項に記載の液体洗浄剤。
（Ｄ）成分：糖質分解酵素。
【発明の詳細な説明】
【技術分野】
【０００１】
本発明は、液体洗浄剤に関する。
【背景技術】
【０００２】
皮脂汚れ等が付着した衣類等（被洗物）は、洗濯した後、特に湿度の高い室内で部屋干しした場合に不快な臭気（部屋干し臭）が発生することがある。この部屋干し臭の発生は、洗濯後の衣類において菌が増殖したことに起因する。
かかる菌の増殖を防止するため、抗菌剤が配合された洗浄剤が知られている。
【０００３】
例えば特許文献１には、ノニオン界面活性剤と、分岐鎖アルキル硫酸塩と、抗菌剤とを含有する液体洗浄剤組成物が開示されている。
特許文献２には、ポリオキシエチレンアルキル硫酸エステル塩、直鎖アルキルベンゼンスルホン酸塩等のアニオン界面活性剤と、ジフェニルエーテル系抗菌剤とを用いた、衣類の洗濯方法が開示されている。
【先行技術文献】
【特許文献】
【０００４】
【特許文献１】特開２００１−２１４１９１号公報
【特許文献２】国際公開第２０１５−１７２６７８号
【発明の概要】
【発明が解決しようとする課題】
【０００５】
充分な抗菌効果を発現させるためには、洗濯後の衣類等の繊維製品への抗菌剤の残留性を高めることが必要である。
しかしながら、洗浄剤は洗濯時に多量の水で希釈されることから、洗浄剤に配合した抗菌剤の多くは濯ぎ等により流されてしまう。特に、皮脂汚れに対する洗浄性（皮脂洗浄力）の高い界面活性剤が配合された洗浄剤の場合は、抗菌剤が洗濯時の水に溶解しやすく、濯ぎ等により流されやすかった。そのため、従来の洗浄剤では、洗濯後の衣類等の繊維製品への抗菌剤の残留性が不充分であり、部屋干し臭を充分に抑制することができなかった。
【０００６】
本発明は上記事情を鑑みてなされたものであり、皮脂洗浄力に優れ、かつ洗濯後の被洗物からの部屋干し臭の発生を抑制する効果が高い液体洗浄剤の提供を目的とする。
【課題を解決するための手段】
【０００７】
本発明は以下の態様を有する。
［１］  下記（Ａ）成分、（Ｂ）成分及び（Ｃ）成分を含有する、液体洗浄剤。
（Ａ）成分：下記（ａ１）成分を含むアニオン界面活性剤。
（ａ１）成分：下記一般式（１）で表される化合物。
Ｒ１−Ｏ−［（ＥＯ）ｐ／（ＰＯ）ｑ］−ＳＯ３−  １／ｖ・Ｍ＋    ・・・（１）
（一般式（１）中、Ｒ１は炭素数８〜１８のアルキル基又は炭素数８〜１８のアルケニル基であり、ＥＯはオキシエチレン基を表し、ＰＯはオキシプロピレン基を表し、ｐはＥＯの平均繰り返し数を表し、０≦ｐ≦１０を満たす数であり、ｑはＰＯの平均繰り返し数を表し、０≦ｑ≦５を満たす数であり、Ｍ＋は水素イオン以外の陽イオンであり、ｖはＭ＋の価数である。ただし、ｐ及びｑが同時に０になることはなく、ｑ＝０のとき０＜ｐ≦２を満たす。）
（Ｂ）成分：ノニオン界面活性剤。
（Ｃ）成分：下記（ｃ１）成分及び（ｃ２）成分からなる群より選ばれる少なくとも１種。
（ｃ１）成分：フェノール構造を有する抗菌剤。
（ｃ２）成分：ポリリジン、ポリヘキサメチレンビグアニド、２−（４−チオシアノメチルチオ）ベンズイミダゾールからなる群より選ばれる少なくとも１種。
［２］  前記（Ｃ）成分が少なくとも前記（ｃ１）成分を含む、［１］に記載の液体洗浄剤。
［３］  前記（Ｂ）成分が下記（ｂ１）成分を含む、［１］または［２］に記載の液体洗浄剤。
（ｂ１）成分：下記一般式（２）で表される化合物。
Ｒ２−Ｏ−［（ＥＯ）ｓ／（ＰＯ）ｔ］−Ｈ    ・・・（２）
（一般式（２）中、Ｒ２は炭素数８〜２２の炭化水素基であり、ＥＯはオキシエチレン基を表し、ＰＯはオキシプロピレン基を表し、ｓはＥＯの平均繰り返し数を表し、２≦ｓ≦２０を満たす数であり、ｔはＰＯの平均繰り返し数を表し、０≦ｔ≦６を満たす数である。）
［４］  下記（Ｄ）成分をさらに含有する、［１］〜［３］のいずれか１つに記載の液体洗浄剤。
（Ｄ）成分：糖質分解酵素。
［５］  下記（Ｅ）成分をさらに含有する、［４］に記載の液体洗浄剤。
（Ｅ）成分：糖質分解酵素以外の酵素。
［６］  前記一般式（２）中、Ｒ２が炭素数８〜２２の分岐鎖の炭化水素基、又は炭素数８〜２２の直鎖の炭化水素基である（ただし、分岐鎖の炭化水素基の場合は酸素原子と結合する炭素原子は第１級炭素原子であり、直鎖の炭化水素基の場合は第２級炭素原子である。）、［３］に記載の液体洗浄剤。
［７］  前記（Ｄ）成分の含有量が、液体洗浄剤の総質量に対して０．０１〜２質量％である、［４］に記載の液体洗浄剤。
［８］  前記（Ｅ）成分の含有量が、液体洗浄剤の総質量に対して０．０１〜２質量％である、［５］に記載の液体洗浄剤。
［９］  （Ｄ）成分と（Ｅ）成分との含有量の合計が、液体洗浄剤の総質量に対して１．５質量％以下である、［５］または［８］に記載の液体洗浄剤。
［１０］  （Ｄ）成分／（Ｅ）成分で表される質量比が０．０５〜２０である、［５］、［８］、［９］のいずれか１つに記載の液体洗浄剤。
［１１］  前記（ａ１）成分の含有量が、液体洗浄剤の総質量に対して１０〜５０質量％である、［１］〜［１０］のいずれか１つに記載の液体洗浄剤。
［１２］  前記（ａ１）成分の含有量が、（Ａ）成分の総質量に対して１０〜１００質量％である、［１］〜［１１］のいずれか１つに記載の液体洗浄剤。
［１３］  前記（Ａ）成分の含有量が、液体洗浄剤の総質量に対して１０〜５０質量％である、［１］〜［１２］のいずれか１つに記載の液体洗浄剤。
［１４］  前記（Ｂ）成分の含有量が、液体洗浄剤の総質量に対して５〜３５質量％である、［１］〜［１３］のいずれか１つに記載の液体洗浄剤。
［１５］  （Ａ）成分／（Ｂ）成分で表される質量比が０．１〜１０である、［１］〜［１４］のいずれか１つに記載の液体洗浄剤。
［１６］  前記（Ｃ）成分の含有量が、液体洗浄剤の総質量に対して０．０１〜３質量％である、［１］〜［１５］のいずれか１つに記載の液体洗浄剤。
［１７］  （Ａ）成分／（Ｃ）成分で表される質量比が３〜６００である、［１］〜［１６］のいずれか１つに記載の液体洗浄剤。
［１８］  水の含有量が、液体洗浄剤の総質量に対して１０〜６０質量％である、［１］〜［１７］のいずれか１つに記載の液体洗浄剤。
［１９］  衣料用である、［１］〜［１８］のいずれか１つに記載の液体洗浄剤。
【発明の効果】
【０００８】
本発明の液体洗浄剤は、皮脂洗浄力に優れ、かつ洗濯後の被洗物からの部屋干し臭の発生を抑制する効果が高い。
【発明を実施するための形態】
【０００９】
以下、本発明を詳細に説明する。
本発明の液体洗浄剤は、以下に示す（Ａ）成分、（Ｂ）成分及び（Ｃ）成分を含有する。また、液体洗浄剤は、以下に示す（Ｄ）成分をさらに含有することが好ましい。また、液体洗浄剤は、以下に示す（Ｅ）成分をさらに含有してもよい。
なお、本発明において「抗菌効果」とは、菌の増殖を抑える効果を意味する。当該抗菌効果が高いほど、湿度の高い室内で衣類等（被洗物）を部屋干しした際の、部屋干し臭を抑制する効果が高くなる。
また、「高級脂肪酸塩」とは、炭素数８〜２２の脂肪酸塩を意味する。
【００１０】
＜（Ａ）成分＞
（Ａ）成分は、下記（ａ１）成分を含むアニオン界面活性剤である。（Ａ）成分は、（ａ１）成分以外のアニオン界面活性剤（以下、「（ａ２）成分」ともいう。）を含んでいてもよい。
【００１１】
（（ａ１）成分）
（ａ１）成分は、下記一般式（１）で表される化合物である。
Ｒ１−Ｏ−［（ＥＯ）ｐ／（ＰＯ）ｑ］−ＳＯ３−  １／ｖ・Ｍ＋    ・・・（１）
（一般式（１）中、Ｒ１は炭素数８〜１８のアルキル基又は炭素数８〜１８のアルケニル基であり、ＥＯはオキシエチレン基を表し、ＰＯはオキシプロピレン基を表し、ｐはＥＯの平均繰り返し数を表し、０≦ｐ≦１０を満たす数であり、ｑはＰＯの平均繰り返し数を表し、０≦ｑ≦５を満たす数であり、Ｍ＋は水素イオン以外の陽イオンであり、ｖはＭ＋の価数である。ただし、ｐ及びｑが同時に０になることはなく、ｑ＝０のとき０＜ｐ≦２を満たす。）
【００１２】
一般式（１）中、Ｒ１の炭素数は８〜１８であり、９〜１６が好ましく、１０〜１５がより好ましい。Ｒ１の炭素数が上記範囲内であれば、液安定性、皮脂洗浄力及び濯ぎ時の泡切れ性が向上する。
Ｒ１のアルキル基又はアルケニル基は、直鎖でも分岐鎖でもよいが、直鎖が好ましい。
Ｒ１としては、炭素数８〜１８の直鎖のアルキル基又は炭素数８〜１８の直鎖のアルケニル基が好ましく、炭素数８〜１８の直鎖のアルキル基がより好ましく、第１級アルコールに由来する炭素数８〜１８の直鎖のアルキル基がさらに好ましい。
【００１３】
一般式（１）中、ｐはＥＯの平均繰り返し数（すなわち、エチレンオキシドの平均付加モル数）を表す０〜１０の数であり、１〜８が好ましく、１〜５がより好ましい。ｐが上限値以下であれば、親水性が高くなりすぎず、充分な皮脂洗浄力が得られやすくなる。ｐの値が小さくなるほど、皮脂洗浄力が高まる傾向にある。
一般式（１）中、ｑはＰＯの平均繰り返し数（すなわち、プロピレンオキシドの平均付加モル数）を表す０〜５の数であり、０〜４が好ましく、０．２〜４がより好ましく、０．２〜２がさらに好ましい。ｑが上限値以下であれば、充分な皮脂洗浄力、液安定性及び生分解性が得られやすくなる。
ただし、ｐ及びｑが同時に０になることはなく、ｑが０のとき、ｐは０超、２以下であり、０．５〜１．５が好ましい。また、ｐが０のとき、ｑは０超、３以下が好ましく、０．５〜１．５が好ましい。
【００１４】
一般式（１）中、一般式（１）中、Ｍ＋は水素イオン以外の陽イオンであり、価数がｖである。Ｍ＋としては、例えばアルカリ金属イオン、アルカリ土類金属イオン、アンモニウムイオン又はアルカノールアミンイオン（アルカノールアンモニウムイオン）等、水溶性の塩を形成し得るものが挙げられる。
アルカリ金属イオンとしては、ナトリウムイオン、カリウムイオン、リチウムイオンなどが挙げられる。
アルカリ土類金属イオンとしては、カルシウムイオン、マグネシウムイオンなどが挙げられる。
アルカノールアミンイオンとしては、モノエタノールアミンイオン（モノエタノールアンモニウムイオン）、ジエタノールアミンイオン（ジエタノールアンモニウムイオン）、トリエタノールアミンイオン（トリエタノールアンモニウムイオン）などが挙げられる。
Ｍ＋としては、ナトリウムイオン、カリウムイオン、モノエタノールアミンイオンが好ましく、ナトリウムイオンがより好ましい。
【００１５】
（ａ１）成分は、１種を単独で用いてもよいし、２種以上を適宜組み合わせて用いてもよい。
（ａ１）成分の含有量は、（Ａ）成分の総質量に対して、１０〜１００質量％が好ましく、３０〜１００質量％がより好ましく、５０〜１００質量％がさらに好ましい。（Ａ）成分中の（ａ１）成分の含有量が上記範囲内であれば、皮脂洗浄力及び部屋干し臭の抑制効果がより高まる。
また、（ａ１）成分の含有量は、液体洗浄剤の総質量に対して、１０〜５０質量％が好ましく、１５〜４５質量％がより好ましく、２０〜４０質量％がさらに好ましい。液体洗浄剤中の（ａ１）成分の含有量が上記範囲内であれば、優れた皮脂洗浄力及び外観安定性が得られやすい。
【００１６】
（（ａ２）成分）
（ａ２）成分は、（ａ１）成分以外のアニオン界面活性剤である。
（ａ２）成分としては、例えば、直鎖アルキルベンゼンスルホン酸又はその塩；α−オレフィンスルホン酸塩；直鎖又は分岐鎖のアルキル硫酸エステル塩；アルキル基を有するアルカンスルホン酸塩；α−スルホ脂肪酸エステル塩；高級脂肪酸塩；アルキルエーテルカルボン酸塩、ポリオキシアルキレンエーテルカルボン酸塩、アルキルアミドエーテルカルボン酸塩、アルケニル）アミドエーテルカルボン酸塩、アシルアミノカルボン酸塩等のカルボン酸型アニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型アニオン性界面活性剤などが挙げられる。これらのアニオン界面活性剤における塩としては、ナトリウム、カリウム、リチウム等のアルカリ金属塩；カルシウム、マグネシウム等のアルカリ土類金属塩；アンモニウム塩；モノエタノールアミン、ジエタノールアミン、トリエタノールアミン等のアルカノールアミン塩等が挙げられる。
【００１７】
これらの中でも、（ａ２）成分としては、炭素数８〜２０の飽和又は不飽和α−スルホ脂肪酸のメチルエステル塩、エチルエステル塩もしくはプロピルエステル塩；炭素数８〜１８のアルキル基を有する直鎖又は分岐鎖のアルキルベンゼンスルホン酸塩（ＬＡＳ又はＡＢＳ）が好ましく、直鎖のアルキル基を有するアルキルベンゼンスルホン酸塩が特に好ましい。該直鎖アルキル基の炭素数は、８〜１８であり、８〜１６が好ましく、１０〜１４がより好ましい。
【００１８】
（ａ２）成分は、１種を単独で用いてもよいし、２種以上を適宜組み合わせて用いてもよい。
（ａ２）成分の含有量は、（Ａ）成分の総質量に対して、９０質量％以下が好ましく、７０質量％以下がより好ましく、５０質量％以下がさらに好ましい。（Ａ）成分中の（ａ２）成分の含有量が上記範囲内であれば、（ａ１）成分の含有量を充分に確保できるので、皮脂洗浄力及び部屋干し臭の抑制効果がより高まる。
また、（ａ２）成分の含有量は、液体洗浄剤の総質量に対して、５０質量％以下が好ましく、４０質量％以下がより好ましく、３０質量％以下がさらに好ましい。液体洗浄剤中の（ａ２）成分の含有量が上記範囲内であれば、低温安定性が高まる。
【００１９】
（ａ１）成分と（ａ２）成分は組み合わせて用いることで、より高い部屋干し臭の抑制効果を得ることができる。（ａ１）成分／（ａ２）成分で表される質量比（以下、「ａ１／ａ２比」ともいう。）は０．１〜１０が好ましく、０．３〜１０がより好ましく、１〜５がさらに好ましい。ａ１／ａ２比が上記範囲内であれば、皮脂洗浄力が高くなり部屋干し臭の抑制効果がより高まる。
【００２０】
（Ａ）成分の含有量は、液体洗浄剤の総質量に対して、１０〜５０質量％が好ましく、１５〜４５質量％がより好ましく、２０〜４０質量％がさらに好ましい。液体洗浄剤中の（Ａ）成分の含有量が上記範囲内であれば、液体洗浄剤が酵素を含有する場合、酵素安定性が高まる。
【００２１】
＜（Ｂ）成分＞
（Ｂ）成分は、ノニオン界面活性剤である。
（Ｂ）成分としては、衣料用などの液体洗浄剤に通常用いられているノニオン界面活性剤を用いることができ、例えば、脂肪酸アルキルエステル、高級アルコール、アルキルフェノール、高級脂肪酸、高級脂肪酸アルキルエステル又は高級アミン等のアルキレンオキシド付加体；ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキルアミンオキシド、アルケニルアミンオキシド、硬化ヒマシ油のアルキレンオキシド付加体、糖脂肪酸エステル、Ｎ−アルキルポリヒドロキシ脂肪酸アミド、アルキルグルコシド等が挙げられる。
これらは、１種を単独で用いてもよいし、２種以上を適宜組み合わせて用いてもよい。
これらの中でも、（Ｂ）成分としては、下記（ｂ１）成分が好ましい。
【００２２】
（（ｂ１）成分）
（ｂ１）成分は、下記一般式（２）で表される化合物である。
Ｒ２−Ｏ−［（ＥＯ）ｓ／（ＰＯ）ｔ］−Ｈ    ・・・（２）
（一般式（１）中、Ｒ２は炭素数８〜２２の炭化水素基であり、ＥＯはオキシエチレン基を表し、ＰＯはオキシプロピレン基を表し、ｓはＥＯの平均繰り返し数を表し、２≦ｓ≦２０を満たす数であり、ｔはＰＯの平均繰り返し数を表し、０≦ｔ≦６を満たす数である。）
【００２３】
一般式（２）中、Ｒ２の炭素数は８〜２２であり、１１〜１８が好ましく、１２〜１６がより好ましく、１２〜１４がさらに好ましい。
Ｒ２の炭化水素基は、飽和炭化水素基でもよく、不飽和炭化水素基でもよい。中でも、部屋干し臭の発生を抑制する効果及び外観安定性の観点から、飽和炭化水素基が好ましい。
Ｒ２の炭化水素基は、直鎖でも分岐鎖でもよい。炭化水素基としては、アルキル基、アルケニル基が好ましい。
Ｒ２−Ｏ−における酸素原子（Ｏ）と結合する炭素原子は、第１級炭素原子又は第２級炭素原子が好ましい。これにより、被洗物への浸透性が高くなる。特に、本発明の液体洗浄剤を衣類の汚れ等に直接塗布する方法で用いる場合に、高い塗布洗浄力が得られやすくなる。
Ｒ２としては、炭素数８〜２２の分岐鎖の炭化水素基、炭素数８〜２２の直鎖の炭化水素基が好ましく、炭素数８〜２２の直鎖の炭化水素基がより好ましい。Ｒ２が分岐鎖の炭化水素基の場合、Ｒ２−Ｏ−における酸素原子（Ｏ）と結合する炭素原子は第１級炭素原子が好ましい。Ｒ２が直鎖の炭化水素基の場合、Ｒ２−Ｏ−における酸素原子（Ｏ）と結合する炭素原子は第２級炭素原子が好ましい。
【００２４】
一般式（２）中、ｓはＥＯの平均繰り返し数（すなわち、エチレンオキシドの平均付加モル数）を表す２〜２０の数であり、２〜１８が好ましく、５〜１６がより好ましい。特に、Ｒ２が第１級アルコールに由来する炭素数８〜２２の炭化水素基の場合、ｓは２〜２０であり、５〜１８が好ましく、７〜１６がより好ましく、１２〜１６がさらに好ましい。Ｒ２が第２級アルコールに由来する炭素数８〜２２の炭化水素基の場合、ｓは２〜２０であり、２〜１５が好ましく、２〜９がより好ましく、３〜９がさらに好ましく、７〜９が特に好ましい。ｓが上記範囲内であれば、被洗物への浸透性が高くなる。
一般式（２）中、ｔはＰＯの平均繰り返し数（すなわち、プロピレンオキシドの平均付加モル数）を表す０〜６の数であり、０〜３が好ましく、０〜２がより好ましく、０〜１がさらに好ましい。ｔが上限値以下であれば、被洗物への浸透性が高くなる。
【００２５】
ｔ＞０の場合、すなわち、ＰＯとＥＯが混在する場合、これらの配列順序は問わず、ランダム状に混在してもよく、ブロック状に混在してもよい。一般式（２）中の［（ＥＯ）ｓ／（ＰＯ）ｔ］はＥＯとＰＯがランダム状又はブロック状に混在することを意味する。
ＰＯとＥＯがブロック状に混在する場合、エチレンオキシド及びプロピレンオキシドの付加方法としては、例えば、エチレンオキシドを付加した後、プロピレンオキシドを付加する方法、プロピレンオキシドを付加した後、エチレンオキシドを付加する方法、エチレンオキシドを付加した後、プロピレオキシドを付加し、さらにエチレンオキシドを付加する方法などが挙げられる。
【００２６】
エチレンオキシド又はプロピレンオキシドの付加モル数分布は特に限定されない。
該付加モル数分布は、（ｂ１）成分を製造する際の反応方法によって変動しやすい。例えば、一般的な水酸化ナトリウムや水酸化カリウムなどのアルカリ触媒を用いて、エチレンオキシド又はプロピレンオキシドを疎水基原料に付加させた際には、エチレンオキシド又はプロピレンオキシドの付加モル数分布が比較的広い分布となる傾向にある。また、特公平６−１５０３８号公報に記載のＡｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等の特定のアルコキシル化触媒を用いて、エチレンオキシド又はプロピレンオキシドを疎水基原料に付加させた際には、エチレンオキシド又はプロピレンオキシドの付加モル数分布が比較的狭い分布となる傾向にある。
【００２７】
（ｂ１）成分の具体例としては、炭素数１２〜１４の第２級アルコールに７モル相当のエチレンオキシドが付加したもの（例えば、株式会社日本触媒製の商品名「ソフタノール７０」）、炭素数１２〜１４の第２級アルコールに９モル相当のエチレンオキシドが付加したもの（例えば、株式会社日本触媒製の商品名「ソフタノール９０」）、炭素数１２〜１４の２級アルコールに、７モル相当のエチレンオキシドと２モル相当のプロピレンオキシドとが付加したもの、ペンタノールをガーベット反応に供して得られる炭素数１０アルコールに７モル相当のエチレンオキシドが付加したもの（ＢＡＳＦ社製の商品名「Ｌｕｔｅｎｓｏｌ  ＸＬ７０」）、ペンタノールをガーベット反応に供して得られる炭素数１０アルコールに６モル相当のエチレンオキシドが付加したもの（ＢＡＳＦ社製の商品名「Ｌｕｔｅｎｓｏｌ  ＸＡ６０」）などが挙げられる。
【００２８】
（ｂ１）成分は、１種を単独で用いてもよいし、２種以上を適宜組み合わせて用いてもよい。
（ｂ１）成分の含有量は、（Ｂ）成分の総質量に対して、１０〜１００質量％が好ましく、３０〜１００質量％がより好ましく、５０〜１００質量％がさらに好ましい。（Ｂ）成分中の（ｂ１）成分の含有量が上記範囲内であれば、皮脂洗浄力がより高まる。
また、（ｂ１）成分の含有量は、液体洗浄剤の総質量に対して、５〜３５質量％が好ましく、５〜２５質量％がより好ましく、５〜１５質量％がさらに好ましい。液体洗浄剤中の（ｂ１）成分の含有量が下限値以上であれば、皮脂洗浄力がより高まる。加えて、液体洗浄剤の外観安定性がより向上する。一方、液体洗浄剤中の（ｂ１）成分の含有量が上限値以下であれば、液体洗浄剤の流動性がより高まり、外観安定性がより向上する。
【００２９】
（Ｂ）成分の含有量は、液体洗浄剤の総質量に対して、５〜３５質量％が好ましく、５〜３０質量％がより好ましく、５〜２５質量％がさらに好ましい。液体洗浄剤中の（Ｂ）成分の含有量が下限値以上であれば、皮脂洗浄力がより高まる。加えて、液体洗浄剤の外観安定性がより向上する。一方、液体洗浄剤中の（Ｂ）成分の含有量が上限値以下であれば、液体洗浄剤の流動性がより高まり、外観安定性がより向上する。
【００３０】
また、（Ａ）成分／（Ｂ）成分で表される質量比（以下、「Ａ／Ｂ比」ともいう。）は０．１〜１０が好ましく、０．３〜１０がより好ましく、１〜１０がさらに好ましい。Ａ／Ｂ比が下限値以上であれば、疎水性の高い（Ｃ）成分が（Ｂ）成分に可溶化されにくくなり、繊維に（Ｃ）成分がより吸着しやすくなり部屋干し臭抑制効果をより高めることができる。一方、Ａ／Ｂ比が上限値以下であれば、液体洗浄剤の外観安定性がより向上する。
【００３１】
＜（Ｃ）成分＞
（Ｃ）成分は、下記（ｃ１）成分及び（ｃ２）成分からなる群より選ばれる少なくとも１種である。
【００３２】
（（ｃ１）成分）
（ｃ１）成分は、フェノール構造を有する抗菌剤である。
（ｃ１）成分は、洗濯後の衣類等の繊維製品に抗菌性を付与する成分である。（ｃ１）成分は、液体洗浄剤中において（Ａ）成分及び（Ｂ）成分と共存させても、（Ａ）成分及び（Ｂ）成分による洗浄性を損なわずに抗菌性を発揮できる。
ここで、「フェノール構造」とは、芳香族炭化水素核の水素原子の１つ以上が、ヒドロキシ基で置換された構造を意味する。
【００３３】
（ｃ１）成分としては、抗菌剤に用いられている公知のフェノール誘導体又はジフェニル化合物が挙げられ、具体的には、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（クロロフェン）、イソプロピルメチルフェノール、パラクロロメタキシレノールなどが挙げられる。
これらの中でも、ジフェニル化合物が好ましく、具体的には、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（クロロフェン）が好ましい。
【００３４】
（ｃ１）成分としては、繊維への吸着量が高く、本発明を適用することによる効果が大きい点から、下記一般式（３）で表される２−ヒドロキシジフェニル化合物（以下、「化合物（３）」ともいう。）が好ましい。
【００３５】
【化１】
2018203923.tif 000002
【００３６】
一般式（３）中、Ｘは酸素原子又は炭素数１〜４のアルキレン基であり、Ｙは塩素原子又は臭素原子であり、ＺはＳＯ２Ｈ、ＮＯ２、又は炭素数１〜４のアルキル基であり、ａ、ｂ、ｃはそれぞれ独立に０又は１〜３の整数であり、ｄは０又は１であり、ｍは０又は１であり、ｎは０又は１である。
なお、−（Ｙ）ｂは、ベンゼン環の水素原子のｂ個がＹに置換されていることを意味する。−（Ｙ）ｃ、−（Ｚ）ｄ、−（ＯＨ）ｍ及び−（ＯＨ）ｎについても同様である。
【００３７】
化合物（３）としては、Ｘが酸素原子又はメチレン基であり、Ｙが塩素原子又は臭素原子であり、ｍが０であり、ｎが０又は１であり、ａが１であり、ｂが０、１又は２であり、ｃが０、１又は２であり、かつｄが０である化合物がより好ましい。
【００３８】
好ましい化合物（３）の具体例としては、モノクロロヒドロキシジフェニルエーテル（Ｘが酸素原子であり、ａが１であり、Ｙが塩素原子であり、ｂ又はｃの一方が１で他方が０であり、ｄが０であり、ｍが０であり、ｎが０である化合物）、ジクロロヒドロキシジフェニルエーテル（Ｘが酸素原子であり、ａが１であり、Ｙが塩素原子であり、ｂが１であり、ｃが１であり、ｄが０であり、ｍが０であり、ｎが０である化合物）、トリクロロヒドロキシジフェニルエーテル（Ｘが酸素原子であり、ａが１であり、Ｙが塩素原子であり、ｂ又はｃの一方が１で他方が２であり、ｄが０であり、ｍが０であり、ｎが０である化合物）、ベンジルクロロフェノール（Ｘがメチレン基であり、ａが１であり、Ｙが塩素原子であり、ｂが０であり、ｃが１であり、ｄが０であり、ｍが０であり、ｎが０である化合物）が挙げられる。
【００３９】
化合物（３）としては、５−クロロ−２−（２，４−ジクロロフェノキシ）フェノール（慣用名：トリクロサン）、４，４’−ジクロロ−２−ヒドロキシジフェニルエーテル（慣用名：ダイクロサン）、ｏ−ベンジル−ｐ−クロロフェノール（慣用名：クロロフェン）であり、４，４’−ジクロロ−２−ヒドロキシジフェニルエーテル（慣用名：ダイクロサン）が特に好ましい。
【００４０】
化合物（３）の含有量は、（ｃ１）成分の総質量に対して、６０質量％以上が好ましく、８０質量％以上がより好ましく、９０質量％以上がさらに好ましい。化合物（３）の合計量の割合の上限値は、１００質量％である。
【００４１】
（ｃ１）成分は、１種を単独で用いてもよいし、２種以上を適宜組み合わせて用いてもよい。
（ｃ１）成分の含有量は、（Ｃ）成分の総質量に対して、１０〜１００質量％が好ましく、３０〜１００質量％がより好ましく、５０〜１００質量％がさらに好ましい。（Ｃ）成分中の（ｃ１）成分の含有量が上記範囲内であれば、部屋干し臭の抑制効果がより高まる。
【００４２】
（（ｃ２）成分）
（ｃ２）成分は、ポリリジン、ポリヘキサメチレンビグアニド、２−（４−チオシアノメチルチオ）ベンズイミダゾールからなる群より選ばれる少なくとも１種である。
（ｃ２）成分は、洗濯後の衣類等の繊維製品に抗菌性を付与する成分である。
【００４３】
（ｃ２）成分は、１種を単独で用いてもよいし、２種以上を適宜組み合わせて用いてもよい。
（ｃ２）成分の含有量は、（Ｃ）成分の総質量に対して、１０〜１００質量％が好ましく、３０〜１００質量％がより好ましく、５０〜１００質量％がさらに好ましい。（Ｃ）成分中の（ｃ２）成分の含有量が上記範囲内であれば、部屋干し臭の抑制効果がより高まる。
【００４４】
（Ｃ）成分としては、（ｃ１）成分及び（Ｃ２）成分のいずれか一方を含んでいてもよいし、両方含んでいてもよいが、部屋干し臭の抑制効果がより高まる観点から、少なくとも（ｃ１）成分を含んでいることが好ましい。
【００４５】
（Ｃ）成分の含有量は、液体洗浄剤の総質量に対して、０．０１〜３質量％が好ましく、０．０５〜１質量％がより好ましく、０．１〜０．５質量％がさらに好ましい。液体洗浄剤中の（Ｃ）成分の含有量が下限値以上であれば、良好な部屋干し臭の抑制効果が得られやすい。一方、液体洗浄剤中の（Ｃ）成分の含有量が上限値以下であれば、良好な保存安定性を有する液体洗浄剤となりやすい。
【００４６】
また、（Ａ）成分／（Ｃ）成分で表される質量比（以下、「Ａ／Ｃ比」ともいう。）は３〜６００が好ましく、５〜４００がより好ましく、１０〜２００がさらに好ましい。Ａ／Ｃ比が下限値以上であれば、皮脂洗浄力及び再汚染防止性がより高まる。一方、Ａ／Ｃ比が上限値以下であれば、抗菌性がより高まる。
【００４７】
＜（Ｄ）成分＞
（Ｄ）成分は、糖質分解酵素である。
液体洗浄剤が（Ｄ）成分をさらに含有することで、洗濯後の被洗物からの部屋干し臭の発生をより効果的に抑制できる。
【００４８】
（Ｄ）成分としては、アミラーゼ、マンナナーゼ、ペクチナーゼ、キシラナーゼ、グルコアミラーゼ、グルコシダーゼ、グルカナーゼ、デキストラナーゼ、キチナーゼ、シアリダーゼ、マンノシダーゼ、サッカラーゼ、フコシダーゼ、アルギン酸リアーゼ、ペクチンリアーゼなどが挙げられる。
これらの中でも、部屋干し臭の発生を抑制する効果がより得られやすいことから、アミラーゼ、マンナナーゼ、ペクチナーゼが好ましい。
【００４９】
（Ｄ）成分は、糖質分解酵素を含む製剤（糖質分解酵素製剤）の形態で用いてもよい。
（Ｄ）成分の具体的に入手可能な市販品は、アミラーゼを含む酵素製剤（アミラーゼ製剤）として、ノボザイムズ社から入手できるＴｅｒｍａｍｙｌ  ３００Ｌ、Ｔｅｒｍａｍｙｌ  Ｕｌｔｒａ  ３００Ｌ、Ｄｕｒａｍｙｌ  ３００Ｌ、Ｓｔａｉｎｚｙｍｅ  １２Ｌ、Ｓｔａｉｎｚｙｍｅ  Ｐｌｕｓ  １２Ｌ（以上、商品名）；ジェネンコア社から入手できる商品名Ｍａｘａｍｙｌ；天野エンザイム株式会社から入手できる商品名プルラナーゼアマノ；生化学工業株式会社から入手できる商品名ＤＢ−２５０などが挙げられる。
マンナナーゼを含む酵素製剤（マンナナーゼ製剤）として、ノボザイムズ社から入手できる商品名Ｍａｎｎａｗａｙ  ４Ｌなどが挙げられる。
ペクチナーゼを含む酵素製剤（ペクチナーゼ製剤）として、ノボザイムズ社から入手できる商品名Ｘｐｅｃｔ  １０００Ｌなどが挙げられる。
【００５０】
（Ｄ）成分は、１種を単独で用いてもよいし、２種以上を適宜組み合わせて用いてもよい。
（Ｄ）成分の含有量は、液体洗浄剤の総質量に対して、０．０１〜２質量％が好ましく、０．０３〜１．５質量％がより好ましく、０．０５〜１質量％がさらに好ましい。液体洗浄剤中の（Ｄ）成分の含有量が下限値以上であれば、洗浄効果、部屋干し臭の抑制効果がより高まる。かかる効果は、（Ｄ）成分の含有量が上限値を超えると頭打ちとなる。（Ｄ）成分の含有量が上限値以下であれば、液体洗浄剤の保存中に（Ｄ）成分が析出するのを抑制でき、保存安定性を良好に維持しつつ、コストの増加を抑えることができる。
なお、本明細書において、液体洗浄剤に含まれる「（Ｄ）成分の含有量（質量％）」とは、液体洗浄剤に含まれる「糖質分解酵素製剤の含有量（質量％）」を意味する。
【００５１】
＜（Ｅ）成分＞
（Ｅ）成分は、糖質分解酵素以外の酵素である。
液体洗浄剤が（Ｅ）成分をさらに含有することで、タンパク質汚れに対する洗浄力が高まる。また、被洗物の臭い除去の効果も得られる。加えて、被洗物の洗浄中に、再汚染のバインダーとなるタンパク質汚れが分解されるため、ポリエステル等の化学繊維や綿への再汚染が抑制される。特に、（Ｄ）成分と（Ｅ）成分とを併用することで、各種汚れに対する洗浄力がより高まる。加えて、洗濯後の被洗物からの部屋干し臭の発生をさらに効果的に抑制できる。
【００５２】
（Ｅ）成分としては、従来、衣料用洗剤に用いられている公知の酵素を用いることができ、例えば、プロテアーゼ、セルラーゼなどが挙げられる。
（Ｅ）成分は、糖質分解酵素以外の酵素を含む製剤の形態で用いてもよい。以下、プロテアーゼを含む酵素製剤を「プロテアーゼ製剤」といい、セルラーゼを含む酵素製剤を「セルラーゼ製剤」という。
プロテアーゼ製剤としては、例えば、ノボザイムズ社から入手できる、セリンプロテアーゼを含有する製剤である商品名Ｓａｖｉｎａｓｅ  １６Ｌ、Ｓａｖｉｎａｓｅ  Ｕｌｔｒａ  １６Ｌ、Ｓａｖｉｎａｓｅ  Ｕｌｔｒａ  １６ＸＬ、Ｅｖｅｒｌａｓｅ  １６Ｌ、Ｅｖｅｒｌａｓｅ  １６Ｌ  ＴｙｐｅＥＸ、Ｅｖｅｒｌａｓｅ  Ｕｌｔｒａ  １６Ｌ、Ｅｓｐｅｒａｓｅ  ８Ｌ、Ａｌｃａｌａｓｅ  ２．５Ｌ、Ａｌｃａｌａｓｅ  Ｕｌｔｒａ  ２．５Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ｃｏｒｏｎａｓｅ  ４８Ｌ；ジェネンコア社から入手できる商品名Ｐｕｒａｆｅｃｔ  Ｌ、Ｐｕｒａｆｅｃｔ  ＯＸ、Ｐｒｏｐｅｒａｓｅ  Ｌなどが挙げられる。
【００５３】
上述した中でも、（Ｅ）成分としては、商品名Ｓａｖｉｎａｓｅ  １６Ｌ、Ｓａｖｉｎａｓｅ  Ｕｌｔｒａ  １６Ｌ、Ｓａｖｉｎａｓｅ  Ｕｌｔｒａ  １６ＸＬ、Ｅｖｅｒｌａｓｅ  １６Ｌ、Ｅｖｅｒｌａｓｅ  Ｕｌｔｒａ  １６Ｌ、Ｌｉｑｕａｎａｓｅ  ２．５Ｌ、Ｌｉｑｕａｎａｓｅ  Ｕｌｔｒａ  ２．５Ｌ、Ｌｉｑｕａｎａｓｅ  Ｕｌｔｒａ  ２．５ＸＬ、Ａｌｃａｌａｓｅ  ２．５Ｌ、Ａｌｃａｌａｓｅ  Ｕｌｔｒａ  ２．５Ｌ、Ｃｏｒｏｎａｓｅ  ４８Ｌが好ましく、Ｅｖｅｒｌａｓｅ  １６Ｌ、Ａｌｃａｌａｓｅ  ２．５Ｌ、Ｃｏｒｏｎａｓｅ  ４８Ｌが特に好ましい。
【００５４】
セルラーゼ製剤としては、例えばノボザイムズ社から入手できるＥｎｄｏｌａｓｅ  ５０００Ｌ、Ｃｅｌｌｕｚｙｍｅ  ０．４Ｌ、Ｃａｒeｚｙｍｅ  Ｐｒｅｍｉｕｍ ４５００Ｌ（以上、商品名）などが挙げられる。
【００５５】
（Ｄ）成分と（Ｅ）成分との組合せとしては、例えば、ポリエステル（ＰＥ）布への再汚染防止効果の点から、アミラーゼとプロテアーゼとの組合せ（具体的にはアミラーゼとコロナーゼとの組合せ）、マンナナーゼとプロテアーゼとの組合せ（具体的にはマンナナーゼとコロナーゼとの組合せ）、アミラーゼとセルラーゼとの組み合わせが好ましい。
【００５６】
（Ｅ）成分は、１種を単独で用いてもよいし、２種以上を適宜組み合わせて用いてもよい。
（Ｅ）成分の含有量は、液体洗浄剤の総質量に対して、０．０１〜２質量％が好ましく、０．０３〜１．５質量％がより好ましく、０．０５〜１質量％がさらに好ましい。液体洗浄剤中の（Ｅ）成分の含有量が下限値以上であれば、（Ｅ）成分の配合効果が充分に得られる。一方、液体洗浄剤中の（Ｅ）成分の含有量が上限値以下であれば、液体洗浄剤の保存中に（Ｅ）成分が析出するのを抑制でき、保存安定性を良好に維持しつつ、コストの増加を抑えることができる。なお、かかる効果は、（Ｅ）成分の含有量が上限値を超えると頭打ちとなる。
なお、本明細書において、液体洗浄剤に含まれる「（Ｅ）成分の含有量（質量％）」とは、液体洗浄剤に含まれる「糖質分解酵素以外の酵素を含む製剤の含有量（質量％）」を意味する。
【００５７】
（Ｄ）成分と（Ｅ）成分との含有量の合計は、液体洗浄剤の総質量に対して、液体洗浄剤の総質量に対して、１．５質量％以下が好ましく、０．０２〜１．０質量％がより好ましく、０．１〜０．８質量％がさらに好ましい。（Ｄ）成分と（Ｅ）成分との含有量の合計が上限値以下であれば、酵素の凝集が起こりにくく、液体洗浄剤の外観安定性がより良好になる。
【００５８】
本発明において、「（Ｄ）成分／（Ｅ）成分で表される質量比」とは、液体洗浄剤に含まれる「（Ｅ）成分の含有量（質量％）」に対する、「（Ｄ）成分の含有量（質量％）」の割合を意味する。
かかる（Ｄ）成分／（Ｅ）成分で表される質量比（以下、「Ｄ／Ｅ比」ともいう。）は、０．０５〜２０が好ましく、０．１〜１５がより好ましく、０．２〜１０がさらに好ましく、０．２５〜５．０が特に好ましく、０．２５〜２．０が最も好ましい。Ｄ／Ｅ比が下限値以上であれば、再汚染防止効果がより高まる。一方、Ｄ／Ｅ比が上限値以下であれば、（Ｅ）成分による（Ｄ）成分の失活が抑制される。
【００５９】
＜水＞
本発明の液体洗浄剤は、製造時のハンドリングのし易さ、使用する際の水への溶解性等の観点から、水を含有することが好ましい。
水としては、精製水、蒸留水、イオン交換水、純水、超純水などが挙げられる。
水の含有量は、液体洗浄剤の総質量に対して、１０質量％以上が好ましく、１０〜６０質量％がより好ましく、２５〜５５質量％がさらに好ましく、３０〜４５質量％が特に好ましい。
【００６０】
＜任意成分＞
液体洗浄剤は、本発明の効果を損なわない範囲内であれば、（Ａ）成分、（Ｂ）成分、（Ｃ）成分、（Ｄ）成分、（Ｅ）成分及び水以外の成分（任意成分）を含有してもよい。
任意成分としては、衣料用等の液体洗浄剤に通常用いられている成分を配合することができ、例えば以下に示すものが挙げられる。
【００６１】
（溶剤）
液体洗浄剤は、溶剤（ただし、水を除く。）を含有していてもよい。溶剤としては、衣料用等の液体洗浄剤に通常用いられている溶剤であればよく、例えば、炭素数２〜４の１価アルコール、炭素数２〜４の多価アルコール、グリコールエーテル系溶剤、メトキシ基を有するアルコール等の水混和性有機溶剤が挙げられる。
【００６２】
炭素数２〜４の１価アルコールとしては、例えば、エタノール、１−プロパノール、２−プロパノール、１−ブタノールなどが挙げられる。
炭素数２〜４の多価アルコールとしては、例えば、エチレングリコール、プロピレングリコール、ブチレングリコール、グリセリンなどが挙げられる。
グリコールエーテル系溶剤としては、例えば、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル（ブチルカルビトール）などが挙げられる。
メトキシ基を有するアルコールとしては、例えば、３−メトキシブタノ−ル、３−メトキシ−３−メチルブタノ−ル、３−メトキシ−３−エチルブタノ−ル、３−メトキシ−３−プロピルブタノ−ル、３−メトキシ−２−メチルブタノ−ル、３−メトキシ−２−エチルブタノ−ル、３−メトキシ−２−プロピルブタノ−ル、３−メトキシ−１−メチルブタノ−ル、３−メトキシ−１−エチルブタノ−ル、３−メトキシ−１−プロピルブタノ−ル、３−メトキシブチルアセテート、３−メトキシ−３−メチルブチルアセテート、３−メトキシ−３−エチルブチルアセテート、３−メトキシ−３−プロピルブチルアセテート、３−メトキシ−２−メチルブチルアセテート、３−メトキシ−２−エチルブチルアセテート、３−メトキシ−２−プロピルブチルアセテート、３−メトキシ−１−メチルブチルアセテート、３−メトキシ−１−エチルブチルアセテート、３−メトキシ−１−プロピルブチルアセテートなどが挙げられる。
これらの溶剤は、１種を単独で用いてもよいし、２種以上を適宜組み合わせて用いてもよい。
溶剤の含有量は、液体洗浄剤の総質量に対して、０．１〜１５質量％が好ましい。
【００６３】
（減粘剤及び可溶化剤）
減粘剤及び可溶化剤としては、芳香族スルホン酸またはその塩が挙げられ、具体的には、トルエンスルホン酸、キシレンスルホン酸、クメンスルホン酸、置換もしくは非置換ナフタレンスルホン酸、トルエンスルホン酸塩、キシレンスルホン酸塩、クメンスルホン酸塩、置換もしくは非置換ナフタレンスルホン酸塩などが挙げられる。
塩としては、ナトリウム塩、カリウム塩、カルシウム塩、マグネシウム塩、アンモニウム塩、またはアルカノールアミン塩等が挙げられる。
これらは、１種を単独で用いてもよいし、２種以上を適宜組み合わせて用いてもよい。
減粘剤及び可溶化剤の含有量は、液体洗浄剤の総質量に対して、０．０１〜１５質量％が好ましい。上記範囲内であれば、液体洗浄剤の液表面において、該液体洗浄剤がゲル化することにより形成される皮膜の生成抑制効果が向上する。
【００６４】
（アルカリ剤）
アルカリ剤としては、モノエタノールアミン、ジエタノールアミン、トリエタノールアミンなどが挙げられる。アルカリ剤は、１種または２種以上混合して用いることできる。
これらのアルカリ剤は、１種を単独で用いてもよいし、２種以上を適宜組み合わせて用いてもよい。
アルカリ剤の含有量は、液体洗浄剤の総質量に対して、０．５〜５質量％が好ましい。
【００６５】
（酸化防止剤）
酸化防止剤としては、特に限定はされないが、洗浄力と液安定性とが良好であることから、フェノール系酸化防止剤が好ましく、中でも、ジブチルヒドロキシトルエン、ブチルヒドロキシアニソール等のモノフェノール系酸化防止剤、２，２’−メチレンビス（４−メチル−６−ｔ−ブチルフェノール等のビスフェノール系酸化防止剤、ｄｌ−α−トコフェロール等のフェノール系酸化防止剤がより好ましく、モノフェノール系酸化防止剤、高分子型酸化防止剤がさらに好ましい。
モノフェノール系酸化防止剤の中では、ジブチルヒドロキシトルエンが特に好ましい。高分子型フェノール酸化防止剤の中では、ｄｌ−α−トコフェロールが特に好ましい。
これらの酸化防止剤は、１種を単独で用いてもよいし、２種以上を適宜組み合わせて用いてもよい。
酸化防止剤の含有量は、液体洗浄剤の総質量に対して、０．０１〜２質量％が好ましい。
【００６６】
（防腐剤）
防腐剤として、例えばローム・アンド・ハース社製の商品名「ケーソンＣＧ」などが挙げられる。
防腐剤の含有量は、液体洗浄剤の総質量に対して、０．００１〜１質量％が好ましい。
【００６７】
（その他）
液体洗浄剤は、上述した任意成分以外にも、例えば、保存安定性向上を目的として安息香酸やその塩（防腐剤としての効果もある）含有してもよい。塩としては、ナトリウム塩、カリウム塩、カルシウム塩、マグネシウム塩、アンモニウム塩、またはアルカノールアミン塩等が挙げられる。
安息香酸（塩）の含有量は、液体洗浄剤の総質量に対して、０．１〜５質量％が好ましく、０．１５〜２質量％がより好ましい。
【００６８】
液体洗浄剤は、酵素安定化を目的としてホウ酸、ホウ砂、ギ酸またはその塩、塩化カルシウム、硫酸カルシウム等のカルシウム塩類を、液体洗浄剤の総質量に対して、０〜２質量％含有してもよい。
液体洗浄剤は、風合い向上を目的としてジメチルシリコーン、ポリエーテル変性シリコーン、アミノ変性シリコーン等のシリコーンを、液体洗浄剤の総質量に対して、０〜５質量％含有してもよい。
液体洗浄剤は、白色衣類の白度向上を目的としてジスチリルビフェニル型等の蛍光増白剤を、液体洗浄剤の総質量に対して、０〜１質量％含有してもよい。
液体洗浄剤は、移染防止剤、再汚染防止を目的としてポリビニルピロリドン、カルボキシメチルセルロース等の再汚染防止剤を、液体洗浄剤の総質量に対して、０〜２質量％含有してもよい。
液体洗浄剤は、パール剤、ソイルリリース剤等を含有してもよい。
【００６９】
液体洗浄剤は、商品の付加価値向上等を目的として、着香剤、着色剤や乳濁化剤、天然物などのエキス等を含有してもよい。
着香剤の代表的な例として、特開２００２−１４６３９９号公報の表１１〜１８に記載の香料組成物Ａ、Ｂ、Ｃ、Ｄなどが使用できる。
着香剤の含有量は、液体洗浄剤の総質量に対して、０．１〜１質量％が好ましい。
【００７０】
着色剤としては、アシッドレッド１３８、Ｐｏｌａｒ  Ｒｅｄ  ＲＬＳ、アシッドイエロー２０３、アシッドブルー９、青色１号、青色２０５号、緑色３号、ターコイズＰ−ＧＲ（いずれも商品名）等の汎用の色素や顔料が挙げられる。
着色剤の含有量は、液体洗浄剤の総質量に対して、０．００００５〜０．００５質量％が好ましい。
【００７１】
乳濁剤としては、ポリスチレンエマルション、ポリ酢酸ビニルエマルジョン等が挙げられ、通常、固形分３０〜５０質量％のエマルションが好適に用いられる。具体例としては、ポリスチレンエマルション（サイデン化学株式会社製、商品名「サイビノールＲＰＸ−１９６  ＰＥ−３」、固形分４０質量％）などが挙げられる。
乳濁剤の含有量は、液体洗浄剤の総質量に対して、０．０１〜０．５質量％が好ましい。
【００７２】
天然物などのエキスとしては、イヌエンジュ、ウワウルシ、エキナセア、コガネバナ、キハダ、オウレン、オールスパイス、オレガノ、エンジュ、カミツレ、スイカズラ、クララ、ケイガイ、ケイ、ゲッケイジュ、ホオノキ、ゴボウ、コンフリー、ジャショウ、ワレモコウ、シャクヤク、ショウガ、セイタカアワダチソウ、セイヨウニワトコ、セージ、ヤドリギ、ホソバオケラ、タイム、ハナスゲ、チョウジ、ウンシュウミカン、ティーツリー、バーベリー、ドクダミ、ナンテン、ニュウコウ、ヨロイグサ、シロガヤ、ボウフウ、オランダヒユ、ホップ、ホンシタン、マウンテングレープ、ムラサキタガヤサン、セイヨウヤマハッカ、ヒオウギ、ヤマジソ、ユーカリ、ラベンダー、ローズ、ローズマリー、バラン、スギ、ギレアドバルサムノキ、ハクセン、ホウキギ、ミチヤナギ、ジンギョウ、フウ、ツリガネニンジン、ヤマビシ、ヤブガラシ、カンゾウ、セイヨウオトギリソウ等の植物エキスなどが挙げられる。
天然物などのエキスの含有量は、液体洗浄剤の総質量に対して、０〜０．５質量％が好ましい。
【００７３】
なお、液体洗浄剤に含まれる全ての成分の含有量の合計が、１００質量％となるものとする。
【００７４】
＜製造方法＞
本発明の液体洗浄剤は、例えば、上述した（Ａ）成分、（Ｂ）成分及び（Ｃ）成分と、必要に応じて（Ｄ）成分、（Ｅ）成分や任意成分とを、水に溶解し、ｐＨ調整剤を用いて所定のｐＨに調整することによって製造できる。
液体洗浄剤が着香剤を含有する場合、（Ｃ）成分と着香剤を液体洗浄剤中に配合する前に予備混合してプレミックスを形成させてもよい。プレミックスを形成することで、疎水性の高い（Ｃ）成分を液体洗浄剤中により安定的に配合することができる。混合方法は一般的な方法で差し支えなく、混合時の温度は５〜３０℃が好ましい。プレミックスは長時間貯蔵しても問題ないが、低温で貯蔵した場合には（Ｃ）成分が析出する恐れがあるため、貯蔵する場合には２０〜３０℃が望ましい。
【００７５】
＜ｐＨ＞
本発明の液体洗浄剤の２５℃でのｐＨは、４〜９が好ましく、６〜９がより好ましい。
液体洗浄剤の２５℃でのｐＨが上記範囲内であれば、液体洗浄剤の保存安定性が良好に維持される。
本発明において、液体洗浄剤のｐＨは、液体洗浄剤を２５℃に調整し、ｐＨメーター等により測定される値を示す。
液体洗浄剤のｐＨは、必要に応じて、ｐＨ調整剤を配合することにより調整できる。ｐＨ調整剤としては、本発明の効果を損なわない限りにおいて随意であるが、硫酸、水酸化ナトリウム、水酸化カリウム、アルカノールアミン等が、液安定性の面から好ましい。
【００７６】
＜作用効果＞
以上説明した本発明の液体洗浄剤においては、上述した（Ａ）成分、（Ｂ）成分及び（Ｃ）成分を含有するので、皮脂洗浄力に優れる。加えて、本発明の液体洗浄剤は、洗濯後の被洗物に（Ｃ）成分が吸着しやすく、優れた抗菌性を付与できるので、洗濯後の被洗物からの部屋干し臭の発生を抑制する効果が高い。
【００７７】
本発明の液体洗浄剤は、衣料用の液体洗浄剤として好適である。
本発明の液体洗浄剤の使用方法は、通常の液体洗浄剤の使用方法と同様である。すなわち本発明の液体洗浄剤（本発明品）を、洗濯時に被洗物と一緒に水に投入する方法、泥汚れや皮脂汚れに本発明品を直接塗布する方法、本発明品を予め水に溶かして衣類を浸漬する方法等が挙げられる。また、本発明品を被洗物に塗布後、適宜放置し、その後、通常の洗濯液を用いて通常の洗濯を行う方法も好ましい。その際、本発明品の使用量は、従来の液体洗浄剤の使用量よりも、実質上量以下に少なくすることができる。
洗浄対象となる被洗物の種類は、家庭における洗濯で洗浄対象とされているものと同様のものが挙げられ、例えば衣料、布巾、タオル類、シーツ等の繊維製品などが挙げられる。
【実施例】
【００７８】
以下、実施例を示して本発明を詳細に説明するが、本発明は以下の記載によって限定されるものではない。なお、各例で用いた成分の配合量は、特に断りのない限り純分換算値である。
【００７９】
「使用原料」
（Ａ）成分として、以下に示す化合物を用いた。
・ａ１−１：ポリオキシエチレンプロピレンアルキルエーテル硫酸ナトリウム（ＡＥＰＳ）。上記一般式（１）中、Ｒ１＝炭素数１２〜１４の直鎖アルキル基、ｐ＝１、ｑ＝１、Ｍ＋＝ナトリウムイオン、ｖ＝１。下記合成方法により合成されたもの。
・ａ１−２：ポリオキシエチレンアルキルエーテル硫酸ナトリウム（ＡＥＳ）。上記一般式（１）中、Ｒ１＝炭素数１２〜１４の直鎖アルキル基、ｐ＝１、ｑ＝０、Ｍ＋＝ナトリウムイオン、ｖ＝１。下記合成方法により合成されたもの。
・ａ２−１：ラウリル硫酸ナトリウム（和光純薬工業株式会社製、商品名「ドデシル硫酸ナトリウム」）。
・ａ２−２：直鎖アルキルベンゼンスルホン酸塩（ライオン株式会社製、商品名「ライポンＬＨ−２００」、アルキル基の炭素数：１０〜１４、平均分子量：３２２）。
【００８０】
（ａ１−１の合成方法）
原料アルコールとしてＰ＆Ｇ社製の天然アルコール（商品名「ＣＯ−１２７０」、炭素数１２のアルコールと炭素数１４のアルコールとの質量比７５／２５の混合物）の２２４．４ｇと、３０質量％ＮａＯＨ水溶液の２．０ｇとを容量４Ｌのオートクレーブ中に仕込み、オートクレーブ内を窒素置換した。次に温度１００℃、圧力２．０ｋＰａ以下で３０分間脱水した後、温度を１６０℃まで昇温した。次いで、反応液を撹拌しながらエチレンオキシド（ガス状）５２ｇを反応液中に徐々に加えて反応させた。このとき、吹き込み管を用い、反応温度が１８０℃を超えないように添加速度を調整しながらエチレンオキシドを反応液中に加えた。
エチレンオキシドの添加終了後、温度１４５℃、圧力０．３ＭＰａ以下で３０分間熟成した。その後、さらにプロピレンオキシド（ガス状）６８ｇを反応液中に徐々に加えて反応させた。このとき、吹き込み管を用い、添加速度を調整しながらプロピレンオキシドを反応液中に加えた。
プロピレンオキシドの添加終了後、温度１４５℃、圧力０．３ＭＰａ以下で３０分間熟成した。その後、未反応のプロピレンオキシドを留去した。
次いで、反応液の温度を１００℃以下まで冷却した後、反応物の１質量％水溶液のｐＨが約７になるように、７０質量％ｐ−トルエンスルホン酸を加えて中和し、中間体を得た。
次いで、得られた中間体２３７ｇを、撹拌装置付の５００ｍＬフラスコに採り、フラスコ内を窒素で置換した後、液体無水硫酸（サルファン）９６ｇを、反応温度４０℃に保ちながらゆっくりと滴下した。滴下終了後、１時間撹拌を続け（硫酸化反応）、ポリオキシエチレンプロピレンアルキルエーテル硫酸を得た。次いで、得られたポリオキシエチレンプロピレンアルキルエーテル硫酸を水酸化ナトリウム水溶液で中和することにより、ａ１−１を得た。
【００８１】
（ａ１−２の合成方法）
原料アルコールとしてＰ＆Ｇ社製の天然アルコール（商品名「ＣＯ−１２７０」、炭素数１２のアルコールと炭素数１４のアルコールとの質量比７５／２５の混合物）の４００ｇと、反応用触媒として水酸化カリウム０．８ｇとを容量４Ｌのオートクレーブ中に仕込み、オートクレーブ内を窒素置換した。その後、反応液を撹拌しながら１８０℃まで昇温した。引き続き、温度を１８０℃、圧力を０．３ＭＰａ以下に維持しながらエチレンオキシド（ガス状）９１ｇを反応液中に徐々に加えて反応させ、アルコールエトキシレートを得た。
得られたアルコールエトキシレートについて、ガスクロマトグラフ質量分析計（Ｈｅｗｌｅｔｔ−Ｐａｃｋａｒｄ社製、製品名「ＧＣ−５８９０」）と、水素炎イオン化型検出器（ＦＩＤ）と、カラム（ＨＰ社製、製品名「Ｕｌｔｒａ−１Ｌ」２５ｍ×φ０．２ｍｍ×Ｔ０．１１μｍ）とを用いて分析した結果、エチレンオキシドの平均付加モル数が１．０であった。また、エチレンオキシドが付加していない化合物は、得られたアルコールエトキシレートの総質量に対して４３質量％であった。
【００８２】
次いで、上記で得られたアルコールエトキシレート２３７ｇを、撹拌装置付の５００ｍＬフラスコに採り、フラスコ内を窒素で置換した後、液体無水硫酸（サルファン）９６ｇを、反応温度４０℃に保ちながらゆっくりと滴下した。滴下終了後、１時間撹拌を続け（硫酸化反応）、ポリオキシエチレンアルキルエーテル硫酸を得た。次いで、得られたポリオキシエチレンアルキルエーテル硫酸を水酸化ナトリウム水溶液で中和することにより、ａ１−２を得た。
【００８３】
（Ｂ）成分として、以下に示す化合物を用いた。
・ｂ１−１：炭素数１２の第２級アルコール及び炭素数１４の第２級アルコールに、７モル相当のエチレンオキシドを付加したもの。（株式会社日本触媒製、商品名「ソフタノール７０」）。上記一般式（２）中、Ｒ２＝炭素数１２の第２級アルコール及び炭素数１４の第２級アルコール由来の炭化水素基、ｓ＝７、ｔ＝０。
・ｂ１−２：ポリオキシエチレンアルキルエーテル（ＥＯの付加モル数１５）（ライオンケミカル株式会社製、商品名「ＬＭＡＯ−９０」）。上記一般式（２）中、Ｒ２＝炭素数１２〜１４の直鎖状のアルキル基、ｓ＝１５、ｔ＝０。
・ｂ１−３：ペンタノールをガーベット反応に供して得られる炭素数１０のアルコールに対して、６モル相当のエチレンオキシドを付加した、ポリオキシエチレンアルキルエーテル（ＢＡＳＦ社製、商品名「ルテンゾールＸＡ６０」）。上記一般式（２）中、Ｒ２＝炭素数１０の分岐鎖状（ガーベット型）のアルキル基、ｓ＝６、ｔ＝０。
【００８４】
（Ｃ）成分およびその代替品（（Ｃ’）成分）として、以下に示す化合物を用いた。
・ｃ１−１：５−クロロ−２−（２，４−ジクロロフェノキシ）フェノール（和光純薬工業株式会社製、商品名「トリクロサン」）。
・ｃ１−２：４，４’−ジクロロ−２−ヒドロキシジフェニルエーテル（ＢＡＳＦ社製、商品名「Ｔｉｎｏｓａｎ  ＨＰ１００」）。
・ｃ２−１：ポリリジン（チッソ株式会社製、商品名「ポリリジン２５％水溶液」）。
・ｃ’−１：塩化ジデシルジメチルアンモニウム（ライオンスペシャリティケミカルズ株式会社製、商品名「アーカード２１０」）。
【００８５】
（Ｄ）成分として、以下に示す化合物を用いた。
・ｄ−１：アミラーゼ（ノボザイムズ株式会社製、商品名「Ｓｔａｉｎｚｙｍｅ  １２Ｌ」）。
【００８６】
（Ｅ）成分として、以下に示す化合物を用いた。
・ｅ−１：プロテアーゼ（ノボザイムズ社製、商品名「Ｃｏｒｏｎａｓｅ  ４８Ｌ」）。
【００８７】
溶剤及び水として、以下に示す化合物を用いた。
・ＰＧ：プロピレングリコール（水混和性有機溶剤、和光純薬工業株式会社製、商品名「プロピレングリコール」）。
・ＢＣ：ブチルカルビトール（水混和性有機溶剤、東京化成工業株式会社製、商品名「ブチルカルビトール」）。
・水：精製水（関東化学株式会社製）。
【００８８】
「実施例１〜１４、比較例１〜６」
＜液体洗浄剤の調製＞
表１〜３に示す配合組成に従い、（Ａ）成分と、（Ｂ）成分と、（Ｃ）成分または（Ｃ’）成分と、（Ｄ）成分と、（Ｅ）成分と、溶剤と水の一部とを混合し、得られた混合液の２５℃におけるｐＨを７．０になるようにｐＨ調整剤（水酸化ナトリウム又は硫酸）を適量添加した後、全体量が１００質量％になるように水を加えて、各例の液体洗浄剤を得た。ｐＨの測定には、ｐＨメーター（東京計器株式会社製、製品名「ＨＭ−３０Ｇ」）を用いた。
得られた各例の液体洗浄剤について、以下のようにして、皮脂洗浄力及び部屋干し臭の抑制効果を評価した。これらの結果を表１〜３に示す。
【００８９】
＜評価＞
（皮脂洗浄力の評価）
皮脂洗浄力の評価には、各例における製造直後の液体洗浄剤（製造直後品）を用いた。
汚垢布として、湿式人工汚垢布（財団法人洗濯科学協会製）を５ｃｍ×５ｃｍ角に裁断したものを用いた。
洗浄試験機として、Ｔｅｒｇ−Ｏ−ｔｏｍｅｔｅｒ（ＵＮＩＴＥＤ  ＳＴＡＴＥＳ  ＴＥＳＴＩＮＧ社製）を用いた。
洗浄液として、水９００ｍＬに対して、液体洗浄剤３００μＬを加え、３０秒間撹拌して調製したものを用いた。
【００９０】
洗浄試験器に、洗浄液９００ｍＬと、汚垢布１０枚と、洗浄メリヤス布とを投入し、浴比２０倍（洗濯水／被洗物総質量）に合わせて、１２０ｒｐｍ、１５℃で１０分間洗浄した。その後、二槽式洗濯機（三菱電機株式会社製、製品名「ＣＷ−Ｃ３０Ａ１−Ｈ１」）に移し、１分間脱水後、水道水（水温約１５℃、硬度約３゜ＤＨ）３０Ｌ中で３分間濯ぎ、風乾した。
評価用布（ここで評価用布とは、汚れの付着していない、基準となる白布をいう）、未洗浄及び洗浄後の汚垢布について、それぞれ反射率を色差計（日本電色株式会社製、製品名「ＳＥ２００型」）で測定し、下式により洗浄率（％）を求めた。皮脂洗浄力の評価基準は、洗浄率が５０％以上のものを「合格」、洗浄率が５０％未満のものを「不合格」とした。
洗浄率（％）＝（洗浄前の汚垢布のＫ／Ｓ−洗浄後の汚垢布のＫ／Ｓ）／（洗浄前の汚垢布のＫ／Ｓ−評価用布のＫ／Ｓ）×１００
ただし、「Ｋ／Ｓ」は、（１−Ｒ／１００）２／（２Ｒ／１００）で求められる値（Ｒは、評価用布、洗浄前の汚垢布又は洗浄後の汚垢布の反射率（％）を示す）である。
【００９１】
（部屋干し臭の抑制効果の評価）
綿肌シャツ（綿１００％）を洗濯機（ハイアール社製、製品名「ＪＷ−Ｚ２３Ａ型」）で１０分間洗濯処理（水温約２０℃、硬度約３゜ＤＨの水道水を注水、浴比２０倍）した。その際、洗浄剤として、市販の合成洗剤（ライオン株式会社製、商品名「トップ」）を用い、合成洗剤の洗濯機への投入量を２５ｇ／水道水３０Ｌとして洗濯処理を行った。
洗濯処理された綿肌シャツを約２３℃、相対湿度９０％ＲＨの室内にて５時間乾燥した。次いで、綿肌シャツを２０〜４０代男性１０人に１２時間着用させた後、各例の液体洗浄剤を用いて、洗濯機（ハイアール社製、製品名「ＪＷ−Ｚ２３Ａ型」）の通常コースで洗濯処理（水温約２０℃、硬度約３゜ＤＨの水道水を注水、浴比２０倍）を行った。その際、液体洗浄剤の洗濯機への投入量を１０ｍＬ／水道水３０Ｌとして洗濯処理を行った。なお、浴比合わせの衣料として、新品の綿１００％のＢＶＤ肌シャツ（富士紡ホールディングス株式会社製）を、全自動洗濯機（パナソニック株式会社製、製品名「ＮＡ−Ｆ７０ＳＤ１」）のおまかせコースで洗濯処理（水温約２０℃、硬度約３゜ＤＨの水道水を注水）５回行ったものを用いた。
上記綿肌シャツの洗濯処理が終了した後、室温（約２３℃）、相対湿度９０％ＲＨの室内に干して５時間乾燥（部屋干し）を行った。その後、６名の専門パネラーがそれぞれ５時間乾燥（部屋干し）後の綿肌シャツの臭いを嗅ぐという官能評価を行った。該官能評価は、下記の評価基準に基づいて点数化することにより行った。具体的には、専門パネラーが、部屋干し後の綿肌シャツのそれぞれの臭いを嗅ぎ、下記評価基準における６段階の臭気強度表示に従って評価した。そして、綿肌シャツの平均点を算出し、この平均点を指標として、部屋干し臭の発生を抑制する効果についての評価を行い、かかる平均点が２．０点以下のものを合格とした。
〔官能評価の評価基準（臭気強度表示）〕
０点：異臭が全くしない。
１点：異臭がやっと感知できる程度に感じられる。
２点：異臭が弱く感じられる。
３点：異臭がやや強く感じられる。
４点：異臭が強く感じられる。
５点：異臭が強烈に感じられる。
【００９２】
【表１】
2018203923.tif 000003
【００９３】
【表２】
2018203923.tif 000004
【００９４】
【表３】
2018203923.tif 000005
【００９５】
表１〜３中、「バランス」とは、液体洗浄剤全体で１００質量％とするのに必要な水（精製水）の配合量（質量％）である。
また、「ａ１／Ａ」は、（Ａ）成分の総質量に対する（ａ１）成分の含有量である。「ａ１／ａ２比」は、（ａ１）成分／（ａ２）成分で表される質量比である。「Ａ／Ｂ比」は、（Ａ）成分／（Ｂ）成分で表される質量比である。「Ａ／Ｃ比」は、（Ａ）成分／（Ｃ）成分で表される質量比である。「Ａ／Ｃ’比」は、（Ａ）成分／（Ｃ’）成分で表される質量比である。「Ｄ／Ｅ比」は、（Ｄ）成分／（Ｅ）成分で表される質量比である。
【００９６】
表１、２から明らかなように、各実施例の液体洗浄剤は、皮脂洗浄力が高く、かつ洗濯後の被洗物からの部屋干し臭の発生を抑制できた。
一方、表３から明らかなように、（Ｃ）成分を含まない比較例１の液体洗浄剤、（ａ１）成分を含まない比較例２〜６の液体洗浄剤は、いずれも部屋干し臭の発生を抑制できなかった。